(57)【要約】【課題】  スクロール圧縮機において、送風ファンによる冷却風量を増加することなく、固定・旋回両スクロールにより形成される密閉室の中心部に対する冷却風量を極力大とする。【解決手段】  駆動軸２に取付けられている冷却ファンによる冷却風を、固定・旋回両スクロールが収容されているハウジング１内へ案内し送入するための送風ダクト８内に、冷却風の送風方向と直交し、かつ中央部における送風量が大となるような形状とした分配板９を設ける。【選択図】  図５
2006283598.tif 000002
【特許請求の範囲】
【請求項１】
駆動軸の偏心部に、軸受を介して枢支した旋回端板上に旋回ラップを立設してなる旋回スクロールにおける旋回ラップと、固定端板上に固定ラップを立設してなる固定スクロールにおける固定ラップとを噛み合わせることにより、旋回ラップと固定ラップの間に密閉室を形成し、旋回スクロールの自転運動を防止するための自転防止機構を配設してなるスクロール圧縮機において、
前記駆動軸に取付けられている冷却ファンによる冷却風を、固定・旋回両スクロールが収容されているハウジング内へ案内し送入するための送風ダクト内に、冷却風の送風方向と直交し、かつ中央部における送風量が大となるような形状とした分配板を設けたことを特徴とするスクロール圧縮機。
【請求項２】
分配板の上縁中央部に、凹入部を設けることにより、この中央部における送風量が大となるようにした請求項１記載のスクロール圧縮機。
【請求項３】
分配板の上縁を、ダクトと直交する方向に傾斜させたことを特徴とする請求項１または２記載のスクロール圧縮機。
【請求項４】
分配板を、ダクトと直交する第１の軸まわりに回動しうるようにしたことを特徴とする請求項１〜３のいずれかに記載のスクロール圧縮機。
【請求項５】
分配板を、ダクトと直交する第２の軸まわりに回動させうるようにしたことを特徴とする請求項１〜４のいずれかに記載のスクロール圧縮機。
【請求項６】
分配板を、ダクトの軸線方向に移動させうるようにしたことを特徴とする請求項１〜５のいずれかに記載のスクロール圧縮機。
【発明の詳細な説明】
【技術分野】
【０００１】
本発明は、運転に伴い、外周部から吸引した気体を圧縮し、中心部から吐出させるようにしたスクロール圧縮機に関する。
【背景技術】
【０００２】
スクロール流体機械の一種であるスクロール圧縮機は、通常、駆動軸の偏心部に、軸受を介して枢支した旋回端板上に旋回ラップを立設してなる旋回スクロールにおける旋回ラップと、固定端板上に固定ラップを立設してなる固定スクロールにおける固定ラップとを噛み合わせることにより、旋回ラップと固定ラップの間に密閉室を形成し、旋回スクロールの自転運動を防止するための自転防止機構を配設して構成されている。
【０００３】
しかして、駆動軸の偏心部と自転防止機構をもって旋回スクロールを偏心的に旋回させることにより、その旋回方向に応じて、前記密閉室の容積を、求心方向に漸次減少させることにより、外周部から吸引した流体を、圧縮させつつ中心部へ導いた後、吐出させるようになっている。
【０００４】
前記密閉室の容積を、求心方向に漸次減少させるようにしたスクロール圧縮機においては、各ラップの先端に嵌合されているシール部材の摩耗を抑止し、かつこれを冷却するために、通常、前記密閉室内に潤滑油が供給される。
【０００５】
しかし、密閉室内に潤滑油を全く供給することなく、長期に亘って円滑に作動させるようにしたオイルフリースクロール圧縮機も、広く知られている。
【０００６】
このようなオイルフリースクロール圧縮機における重要な課題は、運転に伴って、密閉室の容積が減少するのに応じて発生する圧縮熱を、どのようにして効果的に冷却するかである。
【０００７】
そのために従来は、駆動軸により旋回スクロールとともに回転させられる送風ファンにより冷却風を発生させ、これを、前記固定端板と旋回端板のそれぞれ外面に構成される冷却通路へ送るようにしている。
【０００８】
この場合、駆動軸により回転させられる送風ファンにより発生させられた冷却風は、通常、遠心方向へ吐出された後、ダクトにより軸線方向へ導かれ、ついで、求心方向へ直角に曲げられて、固定・旋回両スクロールが収容されているハウジング内へ送入され、前記冷却通路を通って冷却後、排気される。
【０００９】
ところで、スクロール圧縮機においては、固定・旋回両スクロールの外周部に比して、圧縮室の中心部が高温となるため、中心部により多くの冷却風を送ることが必要である。しかし、冷却ファンによって送られる冷却風量は、その外周部では大であるが、中心部では小であるため、中心部の風量を大とするためには、冷却ファンを大としなければならない。
【００１０】
冷却ファンを大とすると、スクロール圧縮機全体としての寸法が大となるばかりでなく、発生する騒音も大となり、またスクロール圧縮機の本来の特性である低騒音化が図れなくなり、しかも運転に要するエネルギも大となる。
【００１１】
さらに、ハウジング内においては、一般に固定スクロールは送風ファンより遠い側にあり、かつ旋回スクロールは送風ファンに近い側にあるため、冷却ファンより近い側にある旋回スクロール側には、十分な冷却風が送られず、その冷却が、十分かつ均一に行われ難いという問題があった。
【００１２】
このような問題を解決するために、冷却ファンより前記ハウジングに至る送風ダクト内に、ハウジングの各部に対する送気量を適切に制御するための分配板もしくは分流板等を設けることは一般的に行われている（例えば特許文献１）。
【００１３】
しかし、従来の分配板もしくは分流板は、ダクト内に単に固定されていたため、運転条件等が変わった際に、それに応じて、冷却風の分配流量や風向を変えることはできなかった。従って、冷却風を所望に分配するための分流板が取付けられている複数のダクトを準備しておき、運転条件に応じて、それらを選択して交換しなければならず、在庫量が増えるとともに、コスト高を招いていた。
【発明の開示】
【発明が解決しようとする課題】
【００１４】
前記したような実情に鑑み、本発明の目的とするところは、送風ファンによる冷却風量を増加することなく、固定・旋回スクロールにより形成される密閉室の中心部に対する冷却風量を極力大とし、かつ送風ファンおよびダクトの形状等に応じて、ダクトから吐出される冷却風の流れと直交する方向において不均一になるのを、可及的に是正しうるようにした分配板を備えるオイルフリースクロール圧縮機を提供することにある。
【課題を解決するための手段】
【００１５】
本発明によると、上記課題は、次のようにして解決される。
（１）駆動軸の偏心部に、軸受を介して枢支した旋回端板上に旋回ラップを立設してなる旋回スクロールにおける旋回ラップと、固定端板上に固定ラップを立設してなる固定スクロールにおける固定ラップとを噛み合わせることにより、旋回ラップと固定ラップの間に密閉室を形成し、旋回スクロールの自転運動を防止するための自転防止機構を配設してなるスクロール圧縮機において、前記駆動軸に取付けられている冷却ファンによる冷却風を、固定・旋回両スクロールが収容されているハウジング内へ案内し送入するための送風ダクト内に、冷却風の送風方向と直交し、かつ中央部における送風量が大となるような形状とした分配板を設ける。
【００１６】
（２）上記(１)項において、分配板の上縁中央部に、凹入部を設けることにより、この中央部における送風量が大となるようにする。
【００１７】
（３）上記(１)または(２)項において、分配板の上縁を、ダクトと直交する方向に傾斜させる。
【００１８】
（４）上記(１)〜(３)項のいずれかにおいて、分配板を、ダクトと直交する第１の軸まわりに回動しうるようにする。
【００１９】
（５）上記(１)〜(４)項のいずれかにおいて、分配板を、ダクトと直交する第２の軸まわりに回動させうるようにする。
【００２０】
（６）上記(１)〜(５)項のいずれかにおいて、分配板を、ダクトの軸線方向に移動させうるようにする。
【発明の効果】
【００２１】
請求項１に係る発明：−
ダクトの中央部における冷却風の送風量が大となり、ひいては、固定・旋回スクロールにより形成される密閉室の高温となる中心部へ多量の冷却風が送られ、密閉室の中心部は、効果的に冷却される。
【００２２】
請求項２に係る発明：−
分配板の中央における送風量を大とする部分の形成が容易である。
【００２３】
請求項３に係る発明：−
固定スクロールと旋回スクロールの噛合部における冷却風量を、軸線方向に変化させることができる。
【００２４】
請求項４に係る発明：−
両スクロールの冷却通路の径方向の外側における冷却風量を、内側におけるそれよりも大としたり、その逆としたりすることができる。
【００２５】
請求項５に係る発明：−
固定・旋回スクロールの各部に対する冷却風量を調節することができる。
【００２６】
請求項６に係る発明：−
各スクロールに対する冷却風量を調節することができる。
【発明を実施するための最良の形態】
【００２７】
図１において、ハウジング(１)内には、図示を省略してあるが、公知の態様で、駆動軸(２)の偏心部に、軸受を介して枢支した旋回端板上に旋回ラップを立設してなる旋回スクロールにおける旋回ラップと、固定端板上に固定ラップを立設してなる固定スクロールにおける固定ラップとを噛み合わせることにより、旋回ラップと固定ラップの間に形成された密閉室と、旋回スクロールの自転運動を防止するための複数の自転防止機構が配設されている。
【００２８】
駆動軸(２)は、モータ(３)により、プーリ(４)(５)とベルト(６)を介して駆動されるようになっている。
【００２９】
ハウジング(１)の先端内側には、前記駆動軸(２)をもって駆動される冷却風起風用のシロッコファン(７)が設けられ、シロッコファン(７)による冷却風は、ハウジング(１)の側方に設けた前後方向を向く送風ダクト(８)を経て、ハウジング(１)内の図示しない固定・旋回両スクロールの冷却通路へ送られた後、適宜排出されるようになっている。
【００３０】
送風ダクト(８)の後端には、ハウジング(１)内へ送る冷却風の向き、および配分を調節するための分配板(９)が設けられている。
【００３１】
分配板(９)は、図５で示すように、上縁(10)が内側（ハウジング側）下方へ向かって傾斜し、かつその中央部に半円形の凹入部(11)を有するものである。
この傾斜方向は、冷却ファンの回転方向の違いによって異なる。すなわち、分配板(９)への冷却流の到達時にハウジング側が流量が少ないときは、ハウジング側に下方へ向って傾斜し、逆に、ハウジング側が流量の多いときは、反ハウジング側に下方へ向って傾斜するものである。
【００３２】
分配板(９)は、送風ダクト(８)に設けた垂直軸(12)とともに回動可能であり、また同じく左右方向の水平軸(13)まわりに回動可能である。
【００３３】
上記水平軸(13)は、送風ダクト(８)の底壁(14)上に載置した前後移動可能な滑動体(15)に枢支され、滑動体(15)は、送風ダクト(８)の底壁(14)に穿設した前後方向の長孔(16)へ下方より挿入した締付ねじ(17)により、固定保持されるようになっている。
【００３４】
分配板(９)を支持する垂直軸(12)の上端部は、送風ダクト(８)の頂壁(18)に設けた前後方向の長孔(19)に遊嵌されており、垂直軸(12)は、頂壁(18)の上面に設けたナット(20)により固定保持されるようになっている。
【図面の簡単な説明】
【００３５】
【図１】本発明のスクロール圧縮機の一実施形態を示す正面図である。
【図２】図１の右側面図である。
【図３】図２の平面図である。
【図４】図３に示すダクトの後部角部の一部破断拡大平面図である。
【図５】図４におけるＶ−Ｖ線縦断面図である。
【図６】図４におけるＶI−ＶI線縦断面図である。
【符号の説明】
【００３６】
(１)ハウジング
(２)駆動軸
(３)モータ
(４)(５)プーリ
(６)ベルト
(７)シロッコファン
(８)送風ダクト
(９)分配板
(10)上縁
(11)凹入部
(12)垂直軸
(13)水平軸
(14)底壁
(15)滑動体
(16)長孔
(17)締付けねじ
(18)頂壁
(19)長孔
(20)ナット
【図１】
2006283598.tif 000003
【図２】
2006283598.tif 000004
【図３】
2006283598.tif 000005
【図４】
2006283598.tif 000006
【図５】
2006283598.tif 000007
【図６】
2006283598.tif 000008